(57)【要約】【課題】ミリ単位で微妙な高さ調整を正確にしかもきわめて簡単に行うことができるようにしたゴルフティーを提供する。【解決手段】このゴルフティーは、ゴルフボールを載せるボール載置部１５を上端部に有する上部ティー軸１２と、ゴルフティーの高さを規制する円板状のつば部１７と、このつば部１７から下方に延びる刺しピン部とを有する下部ティー軸１４と、上部ティー軸１２と下部ティー軸１４とを着脱可能に連結する継手部１６とを備え、上部ティー軸１２は、ミリ単位でティー高さを調整可能なように、調整単位ごとに長さの異なる複数の上部ティー軸の一組の集合物からなっている。【選択図】図１
2014209969.tif 000002
【特許請求の範囲】
【請求項１】
ゴルフボールを載せるボール載置部を上端部に有する上部ティー軸と、
ゴルフティーの高さを規制する円板状のつば部と、このつば部から下方に延びる刺しピン部とを有する下部ティー軸と、
前記上部ティー軸と前記下部ティー軸とを着脱可能に連結する継手部とを備え、
前記上部ティー軸は、ミリ単位でティー高さを調整可能なように、調整単位ごとに長さの異なる複数の上部ティー軸の一組の集合物からなることを特徴とするゴルフティー。
【請求項２】
前記一組の上部ティー軸では、各上部ティー軸が色分けされていることを特徴とする請求項１に記載のゴルフティー。
【請求項３】
ゴルフボールを載せるボール載置部を上端部に有し、刺しピン部と一体のティー軸と、
前記刺しピン部が挿通され、前記ティー軸の高さを規制するつばピースと、
前記ティー軸に前記つぱピースを着脱可能に固定する着脱部と、を備え、
前記つばピースは、ミリ単位でティー高さを調整可能なように、調整単位ごとに長さの異なる複数のつばピースの一組の集合物からなることを特徴とするゴルフティー。
【請求項４】
前記一組のつばピースでは、各つばピースが色分けされていることを特徴とする請求項３に記載のゴルフティー。
【発明の詳細な説明】
【技術分野】
【０００１】
本発明は、ゴルフボールを打つときに使用するゴルフティーに係り、特に、ゴルフティーの高さを好みの高さに細かく１ミリ単位で簡易に調整できるようにしたゴルフティーに関する。
【背景技術】
【０００２】
ゴルフプレイヤーは人それぞれに身長や、腕の長さ、スイング姿勢が異なるため、ゴルフボールを各人にとって適当な高さにセットすることは、正確なショットをし、あるいはより遠くにボールを飛ばすためにきわめて重要な要素である。
【０００３】
このため、従来から、ゴルフボールを支持する高さを調整可能にしたゴルフティーが種々考案されている。  
例えば、特許文献１には、ゴルフティーの軸に雄ねじを切るとともに目盛りを入れ、他方、ゴルフティーを支える自立高さ調整治具には雌ねじを形成し、ゴルフティーを自立高さ調整治具にねじ込むようにしたゴルフティーが提案されている。
【０００４】
また、特許文献２には、ゴルフティーの軸を支える固定台の上に、ゴルフティーが挿入されるパッドを様々な厚さのパッドから構成し、パッドの組み合わせによっての高さ調整するようにしたゴルフティーが提案されている。
【先行技術文献】
【特許文献】
【０００５】
【特許文献１】特開２０００−２６２６５８号公報
【特許文献２】特開２００８−２２０９６４号公報
【発明の開示】
【発明が解決しようとする課題】
【０００６】
しかしながら、特許文献１のように、ねじ式のゴルフティーでは、ゴルフクラブの打撃によって、ねじが破損し易く耐久性に欠けるという欠点がある。
【０００７】
また、特許文献２のように、様々な厚さのパッドを組み合わせるゴルフティーでは、ミリ単位で細かくかつ正確に好みの高さに調整できないという問題がある。
【０００８】
そこで、本発明は、前記従来技術に鑑みなされたものであって、ミリ単位で微妙な高さ調整を正確にしかもきわめて簡単に行うことができるようにしたゴルフティーを提供することにある。
【課題を解決するための手段】
【０００９】
前記の目的を達成するために、本発明は、ゴルフボールを載せるボール載置部を上端部に有する上部ティー軸と、ゴルフティーの高さを規制する円板状のつば部と、このつば部から下方に延びる刺しピン部とを有する下部ティー軸と、前記上部ティー軸と前記下部ティー軸とを着脱可能に連結する継手部とを備え、前記上部ティー軸は、ミリ単位でティー高さを調整可能なように、調整単位ごとに長さの異なる複数の上部ティー軸の一組の集合物からなることを特徴とするものである。
【００１０】
また、本発明は、ゴルフボールを載せるボール載置部を上端部に有し、刺しピン部と一体のティー軸と、前記刺しピン部が挿通され、前記ティー軸の高さを規制するつばピースと、前記ティー軸に前記つぱピースを着脱可能に固定する着脱部と、を備え、前記つばピースは、ミリ単位でティー高さを調整可能なように、調整単位ごとに長さの異なる複数のつばピースの一組の集合物からなることを特徴とするものである。
【図面の簡単な説明】
【００１１】
【図１】本発明の第１実施形態によるゴルフティーを示す側面図である。
【図２】図２（ａ）はゴルフティーを構成する上部ティー軸の一部切り欠き断面図、図２（ｂ）はゴルフティーを構成する下部ティー軸の正面図、図２（ｃ）は下部ティー軸の側面図である。
【図３】図２におけるIII-III矢視図である。
【図４】本発明の第１実施形態によるゴルフティーを地面に刺した状態の側面図である。
【図５】本発明の第２実施形態によるゴルフティーの縦断面図である。
【図６】図５におけるVI-VI矢視図である。
【図７】本発明の第２実施形態によるゴルフティーを地面に刺した状態の側面図である。
【発明を実施するための最良の形態】
【００１２】
以下、本発明によるゴルフティーの実施形態について、添付の図面を参照しながら説明する。
【００１３】
第１実施形態
図１は、本発明の第１実施形態によるゴルフティーを示す図である。
【００１４】
図１において、参照番号１０は、本実施形態によるゴルフティーを示している。このゴルフティー１０は、上部ティー軸１２と、下部ティー軸１４との二つの部分から構成されている。
【００１５】
上部ティー軸１２の上端部には、ゴルフボールを載せる凹曲面が形成されたボール載置部１５が形成されている。他方、上部ティー軸１２の下端部には、下部ティー軸１４を着脱可能に接続するための継手部１６が一体に形成されている。下部ティー軸１４には、円板状のつば部１７が形成されている。つば部１７から先の刺しピン部１４ａは、地面に突き刺し易いように尖った円錐状に形成されている。
【００１６】
次に、図２（ａ）は、上部ティー軸１２の一部切り欠き断面を示し、図２（ｂ）は下部ティー軸１４の正面を示し、図２（ｃ）は下部ティー軸１４の側面を示す。
【００１７】
下部ティー軸１４では、つば部１７から上に延びるようにＴ字形のほぞ部１８が形成されている。このほぞ部１８は、上部ティー軸１２の継手部１６に形成されている次のようなほぞ穴に係合する。  
図２（ａ）に示されるように、上部ティー軸１２の継手部１６の内部には、円形状のほぞ穴２１が形成されている。図３に示されるように、このほぞ穴２１に連通するように、継手部１６の下面には、一対のＣ字形のリブ２２が切り欠き２３を間において向き合うように張り出している。この一対のリブ２２によって、かぎ穴状の開口部が形成されるようになっている。
【００１８】
本実施形態のゴルフティーでは、上部ティー軸１２は、ティーの高さを調整するために様々なサイズのものがあらかじめ１セット用意されている。
【００１９】
ここで、図４は、地面に刺したゴルフティー１０にゴルフボール４０を載せた状態を示す。図４に示されるように、ゴルフティー１０を地面に刺すと、つば部１７が地面に接地して、それ以上刺しピン部１４ａを刺し込むことはできなくなる。ここで、地面からゴルフボール４０の中心までをゴルフティー１０の高さＨと定義することにする。つば部１７の厚さをａ、つば部１７からゴルフボール４０の中心までの高さをｂとする。つば部１７の厚さａは、常に一定であるから、上部ティー軸１２を交換することで、ゴルフティー１０の高さ（ティーアップ時のゴルフボール４０の高さ）を調整できることになる。
【００２０】
そこで、本実施の形態では、例えば、１ミリ単位で長さの異なる１０種類の上部ティー軸１２が１セット分用意されている。そして各上部ティー軸１２は、一目で区別できるように次のように色分けされている。
ゴルフティーの高さ      色  
５１ミリ                白  
５２ミリ                黒  
５３ミリ                赤  
５４ミリ                青  
５５ミリ                黄  
５６ミリ                緑  
５７ミリ                オレンジ  
５８ミリ                ピンク  
５９ミリ                銀  
６０ミリ                金  
【００２１】
本実施形態によるゴルフティーは、以上のように構成されるものであり、次に、その作用並びに効果について説明する。  
本実施形態のゴルフティー１０は、上部ティー軸１２を交換することで、ゴルフティー１０の高さＨを所望の高さに１ミリ単位で正確に設定することができる。
【００２２】
例えば、５５ミリの高さにしたい場合には、黄色の上部ティー軸１２を用いる。このティー軸部１２と刺しピン部１４を連結するには、下部ティー軸１４のＴ字形のほぞ部１８を上部ティー軸１２の切り欠き２３から挿入して、ほぞ穴２１に入れてから、下部ティー軸１４を９０°回せば、一体に連結することができる。
【００２３】
そして、組み立てたゴルフティー１０を図４に示すように、地面に刺してからゴルフボール４０を載せれば、ゴルフボール４０を５５ミリの高さに正確にティーアップすることができる。
【００２４】
また、プレイヤーが打球場所の芝生の状態、傾斜、クラブの種類などの条件によって、適宜、ゴルフティー１０の高さを変えたいときには、セットになっている１０個の上部ティー軸１２の中から所望のものを選んで交換することで、１ミリ単位で高さを調整することができる。その際、上部ティー軸１２は色分けされているので、一目で他と区別して高さ調整に必要な上部ティー軸１２を選び出すことができる。
【００２５】
第２実施形態
次に、本発明の第２実施形態によるゴルフティー５０について、図５乃至図７を参照しながら説明する。
【００２６】
この第２実施形態では、ティー軸を上下に２分割した第１実施形態とは異なり、ティー軸２６は一体である。このティー軸２６の上端には、ゴルフボールを載せる凹曲面が形成されたボール載置部１５が形成されている。このティー軸２６には、先端に向かって尖っていく円錐状の刺しピン部２７が形成されている。
【００２７】
この第２実施形態によるゴルフティー５０では、ティー軸２６をつばピース２８に挿入して、ティー軸２６とつばピース２８を一体に組み立ててから、刺しピン部２７を地面に突き刺すようにしている。
【００２８】
ティー軸２６とつばピース２８は、次のような回転式の着脱構造により一体化することができる。図５に示されるように、ティー軸２６の上端部には、一対の係止部３３がＬ字状に垂下するように設けられており、先端のリブ３４は内側に向き合うようになっている。
【００２９】
他方、つばピース２８の上端部には、一対の爪３２が外側に張り出すように形成されている。この一対の爪３２が摺動するリブ３４の上面には、次第に厚みを増すことによりテーパー面が形成されている。したがって、図６において、爪３２がロック位置に到達するまで、つばピース２８とティー軸２６を相対的に回転させると、つばビース２８は引き寄せられるとともに刺しピン部２７のテーパによるくさび作用によってティー軸２６に対して固定される。逆に、爪３２がアンロック位置に到達するまで、つばピース２８とティー軸２６を相対的に回転させると、つばピース２８をティー軸２６から取り外すことができる。
【００３０】
ここで、図７は、つばピース２８を用い、地面に刺したゴルフティー５０にゴルフボール４０を載せた状態を示す。ゴルフティー５０を地面に刺すと、つばピース２８の底面が地面にあたって、それ以上刺しピン部２７を刺し込むはできなくなる。
【００３１】
この第２実施形態の場合、つばピース２８の高さが決まれば、ゴルフティー５０の高さ（ティーアップ時のゴルフボールの高さ）は決まることになる。したがって、つばピース２８を交換することで、ゴルフティー１０の高さを調整できることになる。
【００３２】
そこで、この第２実施形態では、例えば、１ミリ単位で高さの異なる１０種類のつばピース２８が１セット分用意されている。そして各つばピース２８は、一目で判別できるように色分けされている。
ゴルフティーの高さ      色  
５１ミリ                白  
５２ミリ                黒  
５３ミリ                赤  
５４ミリ                青  
５５ミリ                黄  
５６ミリ                緑  
５７ミリ                オレンジ  
５８ミリ                ピンク  
５９ミリ                銀  
６０ミリ                金  
【００３３】
以上のように構成される第２実施形態によれば、第１実施形態と同様に、つばピース２８を交換することで、ゴルフティー１０の高さＨを所望の高さに１ミリ単位で正確に設定することができる。
【００３４】
また、プレイヤーが打球場所の芝生の状態、傾斜、クラブの種類等の条件によって、適宜、ゴルフティー１０の高さを変えたいときには、１０個のつばピース２８の中から所望のものを選んで交換することで、１ミリ単位で高さを調整することができる。その際、つばピース２８は色分けされているので、一目で他と区別して高さ調整に必要な上部ティー軸１２を選ぶことができる。
【符号の説明】
【００３５】
１０…ゴルフティー、１２…上部ティー軸、１４…下部ティー軸、１４ａ…刺しピン部、１５…ボール載置部、１６…継手部、１７…つば部、１８…ほぞ部、２１…ほぞ穴、２３…切り欠き、２６…ティー軸、２７…刺しピン部、２８…つばピース、３３…爪、４０…ゴルフボール、５０…ゴルフティー
【図１】
2014209969.tif 000003
【図２】
2014209969.tif 000004
【図３】
2014209969.tif 000005
【図４】
2014209969.tif 000006
【図５】
2014209969.tif 000007
【図６】
2014209969.tif 000008
【図７】
2014209969.tif 000009
【手続補正書】
【提出日】平成26年8月28日(2014.8.28)
【手続補正１】
【補正対象書類名】明細書
【補正対象項目名】０００９
【補正方法】変更
【補正の内容】
【０００９】
前記の目的を達成するために、本発明は、ゴルフボールを載せるボール載置部と、刺しピン部とを有するゴルフティーを有するゴルフティーにおいて、前記ゴルフティーを構成し、当該ゴルフティーの高さを決定する部品が、ミリ単位で長さが異なり、かつ長さ別に色分けされた一組の集合物からなり、任意の可換部品に付け替えすることにより、所望の高さにゴルフティーの高さを調整できるようにしたことを特徴とするものである。
【手続補正２】
【補正対象書類名】明細書
【補正対象項目名】００１０
【補正方法】削除
【補正の内容】
【手続補正３】
【補正対象書類名】特許請求の範囲
【補正対象項目名】全文
【補正方法】変更
【補正の内容】
【特許請求の範囲】
【請求項１】
ゴルフボールを載せるボール載置部と、刺しピン部とを有するゴルフティーを有するゴルフティーにおいて、
前記ゴルフティーを構成し、当該ゴルフティーの高さを決定する部品が、ミリ単位で長さが異なり、かつ長さ別に色分けされた一組の集合物からなり、任意の可換部品に付け替えすることにより、所望の高さにゴルフティーの高さを調整できるようにしたことを特徴とするゴルフティー。